(57)【要約】【課題】電池パックを収納した状態における接触不良を低減することができる。【解決手段】コネクタの電極１２ｂと電気的に接続される端子電極が配置され、一対の側壁２５ａ、２５ｂに沿って挿入することで電池パック５を収納する電池パック収納部４と、電池パック収納部４に収納された電池パック５を保持する保持部材３１とを備えている。保持部材３１は、端子電極の近傍における一対の側壁２５ａ、２５ｂの内部に配置され、電池パック５を挿脱する挿脱方向に対し直交し、電池パック５の外周を構成する相対向する面に向かってそれぞれ突出する一対の挟持部３５ａ、３５ｂを有する。【選択図】図５Ａ
2010103103.tif 000002
【特許請求の範囲】
【請求項１】
端部にコネクタを備える電池パックを保持可能な電池パック保持機構であって、
前記コネクタの電極と電気的に接続される端子電極が配置され、一対の側壁に沿って挿入することで前記電池パックを収納可能な電池パック収納部と、
前記電池パック収納部に収納された前記電池パックを保持可能な保持部材とを備え、
前記保持部材は、前記端子電極の近傍における前記一対の側壁の内部に配置され、前記電池パックを挿脱する挿脱方向に対し直交し、前記電池パックの外周を構成する相対向する面に向かってそれぞれ突出する一対の挟持部を有する、電池パック保持機構。
【請求項２】
前記保持部材は、
前記電池パック収納部に対する前記電池パックの挿入向きに対して、前記電池パック収納部の外部から内部向きに傾斜した第１傾斜部と、
前記電池パックの挿入向きに前記第１傾斜部が形成された位置より前方に、前記電池パック収納部の内部から外部向きに傾斜した第２傾斜部とを有し、
前記挟持部は、前記第１傾斜部と、前記第２傾斜部との間に形成され、
前記第１傾斜部と前記挟持部との境界部が、前記端子電極における前記電池パック収納部の内部方向に突出した端部よりも、前記電池パックを前記電池パック収納部に収納する収納口側に配置される、請求項１記載の電池パック保持機構。
【請求項３】
前記保持部材は、前記一対の挟持部を連結する連結部を有する、請求項１または２に記載の電池パック保持機構。
【請求項４】
電池パックから供給された電力で能動状態となる電子部品と、
前記電子部品を実装する回路基板と、
前記電池パックを保持可能な電池パック保持機構とを備え、
前記電池パック保持機構は、
前記電池パックのコネクタの電極と電気的に接続される端子電極が配置され、一対の側壁に沿って挿入することで前記電池パックを収納可能な電池パック収納部と、
前記電池パック収納部に収納された前記電池パックを保持可能な保持部材とを備え、
前記保持部材は、前記端子電極の近傍における前記一対の側壁の内部に配置され、前記電池パックを挿脱する挿脱方向に対し直交し、前記電池パックの外周を構成する相対向する面に向かってそれぞれ突出する一対の挟持部を有する、電子装置。
【請求項５】
前記保持部材は、
前記電池パック収納部に対する前記電池パックの挿入向きに対して、前記電池パック収納部の外部から内部向きに傾斜した第１傾斜部と、
前記電池パックの挿入向きに前記第１傾斜部が形成された位置より前方に、前記電池パック収納部の内部から外部向きに傾斜した第２傾斜部とを有し、
前記挟持部は、前記第１傾斜部と、前記第２傾斜部との間に形成され、
前記第１傾斜部と前記挟持部との境界部が、前記端子電極における前記電池パック収納部の内部方向に突出した端部よりも、前記電池パックを前記電池パック収納部に収納する収納口側に配置される、請求項４記載の電子装置。
【請求項６】
前記保持部材は、前記一対の挟持部を連結する連結部を有する、請求項４または５に記載の電子装置。
【請求項７】
前記電池パックは、前記挟持部が嵌合可能な嵌合凹部を備えた、請求項４または５に記載の電子装置。
【請求項８】
前記電池パックは、前記挟持部を前記嵌合凹部へ案内可能な案内溝を備えた、請求項７に記載の電子装置。
【発明の詳細な説明】
【技術分野】
【０００１】
本発明は、電池パックを着脱可能な電池パック保持機構に関する。本発明は、電池パック保持機構を備えた電子装置に関する。
【背景技術】
【０００２】
近年、ノートパソコンやデジタルカメラなどの携帯型電子機器は、電池を内蔵した電池パックを装着可能であり、電池パックから供給される電力により動作可能である。
【０００３】
特開２０００−３４７２８３号公報は、電池パック収納部と、電池パック収納部を閉塞可能な蓋体を開示している。このような構成において、電池パック収納部に電池パックを収納し、蓋体を閉じることにより、電池パックを保持することができる。
【０００４】
図１０は、特開２０００−３４７２８３号公報が開示しているカメラの要部断面図である。図１０において、電池パック収納部１０１には、接続端子１０２ａ、１０２ｂが配置されている。接続端子１０２ａ、１０２ｂは、電池パック１０３の端子１０４ａ、１０４ｂに接触可能である。蓋体１０５は、電池パック収納部１０１の開口部を覆うように配置されている。
【０００５】
以上のように、接続端子１０２ａ、１０２ｂが電池パック１０３の端子１０４ａ、１０４ｂに接触して挟持する構成により、電池パック１０３は電池パック収納部１０１に保持される。
【先行技術文献】
【特許文献】
【０００６】
特開２０００−３４７２８３号公報
【発明の概要】
【発明が解決しようとする課題】
【０００７】
しかしながら、特開２０００−３４７２８３号公報が開示している構成では、接続端子１０２ａ、１０２ｂにより、電池パック１０３が挟持されているだけであるので、機器に振動が加わった場合に、電池パック１０３の端子１０４ａ、１０４ｂと接続端子１０２ａ、１０２ｂとが摺動する。このため、接続端子１０２ａ、１０２ｂおよび端子１０４ａ、１０４ｂが磨耗し、接続端子１０２ａ、１０２ｂと端子１０４ａ、１０４ｂとの間で接触不良が生じやすくなる。
【０００８】
本発明は、電池パックを収納した状態における接触不良を低減することができる電池パック保持機構およびそれを備えた電子装置を提供することを目的とする。
【課題を解決するための手段】
【０００９】
本発明の電池パック保持機構は、端部にコネクタを備える電池パックを保持可能な電池パック保持機構であって、前記コネクタの電極と電気的に接続される端子電極が配置され、一対の側壁に沿って挿入することで前記電池パックを収納可能な電池パック収納部と、前記電池パック収納部に収納された前記電池パックを保持可能な保持部材とを備え、前記保持部材は、前記端子電極の近傍における前記一対の側壁の内部に配置され、前記電池パックを挿脱する挿脱方向に対し直交し、前記電池パックの外周を構成する相対向する面に向かってそれぞれ突出する一対の挟持部を有することを特徴とする。
【００１０】
本発明の電子装置は、電池パックから供給された電力で能動状態となる電子部品と、前記電子部品を実装する回路基板と、前記電池パックを保持可能な電池パック保持機構とを備え、前記電池パック保持機構は、前記コネクタの電極と電気的に接続される端子電極が配置され、一対の側壁に沿って挿入することで前記電池パックを収納可能な電池パック収納部と、前記電池パック収納部に収納された前記電池パックを保持可能な保持部材とを備え、前記保持部材は、前記端子電極の近傍における前記一対の側壁の内部に配置され、前記電池パックを挿脱する挿脱方向に対し直交し、前記電池パックの外周を構成する相対向する面に向かってそれぞれ突出する一対の挟持部を有することを特徴とする。
【発明の効果】
【００１１】
本発明によれば、電池パックを収納した状態において、機器の本体側コネクタと電池パック側コネクタとの摺動による磨耗を低減することができるため、摩耗による接触不良、および接触不良による発熱を抑制できる電池パック保持機構およびそれを備えた電子装置を提供することができる。
【図面の簡単な説明】
【００１２】
【図１】本発明の実施の形態に係る情報処理装置の斜視図
【図２】電池パック保持機構の模式図
【図３】本発明の実施の形態に係る電池パックの斜視図
【図４】本発明の実施の形態に係る電池パック５を保持する機構の斜視図
【図５Ａ】本発明の他の実施の形態に係る本体内部における電池パック収納部近傍の斜視図
【図５Ｂ】本発明の他の実施の形態に係る電池パック収納部に、電池パックが完全に収納された状態を示す斜視図
【図６】本発明の他の実施の形態に係る電池パックが一部挿入された電池パック収納部の状態を示す平面図
【図７】本発明の他の実施の形態に係る電池パックが図５Ｂに示す状態よりもさらに挿入された電池パック収納部の状態を示す平面図
【図８】本発明の他の実施の形態に係る電池パックが完全に挿入された電池パック収納部の状態を示す平面図
【図９】本発明の別の実施の形態に係る本体内部における電池パック収納部近傍の斜視図
【図１０】従来のカメラの電池保持機構の断面図
【発明を実施するための形態】
【００１３】
本発明の電池パック保持機構は、端部にコネクタを備える電池パックを保持可能な電池パック保持機構であって、前記コネクタの電極と電気的に接続される端子電極が配置され、一対の側壁に沿って挿入することで前記電池パックを収納可能な電池パック収納部と、前記電池パック収納部に収納された前記電池パックを保持可能な保持部材とを備え、前記保持部材は、前記端子電極の近傍における前記一対の側壁の内部に配置され、前記電池パックを挿脱する挿脱方向に対し直交し、前記電池パックの外周を構成する相対向する面に向かってそれぞれ突出する一対の挟持部を有する。
【００１４】
本発明の電池パック保持機構および電子装置は、上記構成を基本として、種々の態様をとることができる。
【００１５】
本発明の電池パック保持機構において、前記保持部材は、前記電池パック収納部に対する前記電池パックの挿入向きに対して、前記電池パック収納部の外部から内部向きに傾斜した第１傾斜部と、前記電池パックの挿入向きに前記第１傾斜部が形成された位置より前方に、前記電池パック収納部の内部から外部向きに傾斜した第２傾斜部とを有し、前記挟持部は、前記第１傾斜部と、前記第２傾斜部との間に形成され、前記第１傾斜部と前記挟持部との境界部が、前記端子電極における前記電池パック収納部の内部方向に突出した端部よりも、前記電池パックを前記電池パック収納部に収納する収納口側に配置される構成とすることができる。この構成により、電池パックの位置調整および傾き調整が完了した後に、電池パックのコネクタの電極と端子電極とを接続させることができる。このため、電池パックが電池パック収納部に収納された状態において、電池パックのコネクタにおける電極と端子電極との間で衝撃等による摺動の発生を低減することができ、摺動によるコネクタ及び／または端子電極がの摩耗に起因する接触不良を抑制することができる。
【００１６】
本発明の電池パック保持機構において、前記保持部材は、前記一対の挟持部を連結する連結部を有する構成とすることができる。この構成により、一対の挟持部を電池パック収納部に対して均一に架張することができ、一対の挟持部それぞれの位置調整および傾き調整の精度を上げることができる。さらに、保持部材は一対の挟持部を連結して１つの部材とすることができるため、部品点数を減らすことができ、以ってコストを下げることができる。
【００１７】
本発明の電子装置は、電池パックから供給された電力で能動状態となる電子部品と、前記電子部品を実装する回路基板と、前記電池パックを保持可能な電池パック保持機構とを備え、前記電池パック保持機構は、コネクタの電極と電気的に接続される端子電極が配置され、一対の側壁に沿って挿入することで前記電池パックを収納可能な電池パック収納部と、前記電池パック収納部に収納された前記電池パックを保持可能な保持部材とを備え、前記保持部材は、前記端子電極の近傍における前記一対の側壁の内部に配置され、前記電池パックを挿脱する挿脱方向に対し直交し、前記電池パックの外周を構成する相対向する面に向かってそれぞれ突出する一対の挟持部を有するものである。
【００１８】
本発明の電子装置において、前記保持部材は、前記電池パック収納部に対する前記電池パックの挿入向きに対して、前記電池パック収納部の外部から内部向きに傾斜した第１傾斜部と、前記電池パックの挿入向きに前記第１傾斜部が形成された位置より前方に、前記電池パック収納部の内部から外部向きに傾斜した第２傾斜部とを有し、前記挟持部は、前記第１傾斜部と、前記第２傾斜部との間に形成され、前記第１傾斜部と前記挟持部との境界部が、前記端子電極における前記電池パック収納部の内部方向に突出した端部よりも、前記電池パックを前記電池パック収納部に収納する収納口側に配置される構成とすることができる。この構成により、電池パックの位置調整および傾き調整が完了した後に、電池パックのコネクタの電極と端子電極とを接続させることができる。このため、電池パックが電池パック収納部に収納された状態において、電池パックのコネクタにおける電極と端子電極との間で衝撃等による摺動の発生を低減することができ、摺動によるコネクタ及び／または端子電極がの摩耗に起因する接触不良を抑制することができる。
【００１９】
本発明の電子装置において、前記保持部材は、前記一対の挟持部を連結する連結部を有する構成とすることができる。この構成により、一対の挟持部を電池パック収納部に対して均一に架張することができ、一対の挟持部それぞれの位置調整および傾き調整の精度を上げることができる。さらに、保持部材は一対の挟持部を連結して１つの部材とすることができるため、部品点数を減らすことができ、以ってコストを下げることができる。
【００２０】
本発明の電子装置において、前記電池パックは、前記挟持部が嵌合可能な嵌合凹部を備えた構成とすることができる。この構成により、電池パックを、その挿入方向に対して直交する方向の変位を規制することができる。したがって、電池パックを正規の位置へ位置決めすることができ、確実にコネクタと端子電極とを接続することができる。
【００２１】
本発明の電子装置において、前記電池パックは、前記挟持部を前記嵌合凹部へ案内可能な案内溝を備えた構成とすることができる。この構成により、電池パックを、その挿入方向に対して直交する方向の変位を規制することができる。したがって、電池パックを正規の位置へ位置決めすることができ、確実にコネクタと端子電極とを接続することができる。
【００２２】
なお、本発明の電子装置における「電子部品が能動状態」とは、電子装置が例えば所望の情報信号を処理する情報処理回路を備える情報処理装置では、情報処理回路が情報を処理する状態に相当する。また、電子装置が例えば視認信号に応じて視認情報を映像化する映像装置では、映像装置が備える表示パネルに通電し映像を表示する状態に相当する。すなわち、電子装置が電池パックから供給された電力で所定の動作をする状態に相当する。
【００２３】
（実施の形態）
〔１．電池パック保持機構の概要〕
本実施の形態にかかる電池パック保持機構は、保持部材で電池パックを挟持することで電池パックを保持することができることを、構成上の主な特徴とする。
【００２４】
図１は、情報処理装置本体（以下、本体と称する）１及び電池パック５の斜視図である。図２は、図１における電池パック収納部４近傍の模式図である。図１は、電池パック保持機構に電池パックを保持する前の状態を示す。図２は、電池パック保持機構に電池パックを保持した状態を示す。
【００２５】
図２に示すように、本体１は、保持部材４０ａ及び４０ｂを備えている。保持部材４０ａ及び４０ｂは、電池パック５を本体１内に収納した状態において、電池パック５の一対の側面を挟持することで、電池パック５を保持することができる。保持部材４０ａ及び４０ｂは、弾性変形可能な例えば線材で形成されている。保持部材４０ａ及び４０ｂは、電池パック５を保持している状態において互いに離反する方向へ変形され、元に戻ろうとする力により電池パック５を保持している。このような構成とすることにより、電池パック５の収納状態において不意に蓋体３が開いてしまったとしても、電池パック５が自重により電池パック保持機構から離脱することを防ぐことができる。
【００２６】
また、電池パック５に備わるテープ１１を把持し、矢印Ｂに示す方向へ引っ張ることで、電池パック５を、本体１の筐体１ａに形成された開口部１ｂを介して取り出すことができる。
【００２７】
また、保持部材４０ａ及び４０ｂは、電池パック５の挿入方向に対して間隙が狭まるように構成しているため、電池パック５を保持する際に、電池パック５に備わる電池側コネクタ１２を本体１に備わる本体側コネクタ（不図示）に確実に接続できる位置の方向へ、電池側コネクタ１２をガイドすることができる。すなわち、電池パック５を電池パック収納部４に挿入する過程において、図３に示した電池パック５の一対の側面１３ａ及び１３ｂと電池パック５の前面１６とで構成する角部と、保持部材４０ａ及び４０ｂとが当接する。これにより、電池側コネクタ１２と本体側コネクタとが電気的に接続するように、電池パック５の移動をガイドすることができる。
【００２８】
〔２．電池パック保持機構の具体構成〕
図１は、本実施の形態にかかる電子装置の一例である情報処理装置の斜視図である。本体１は、モニタ２を備えている。モニタ２は、例えばタッチパネル式ディスプレイで構成されている。操作者は、スタイラスペン（図示せず）や指等をモニタ２の表示面に接触させることにより、所望の情報信号を入力することができる。本体１は、入力された情報信号に基づいて視認信号を生成して、モニタ２に表示することができる。また、本体１は、操作ボタン（図示せず）を備えた構成とすることができる。
【００２９】
本体１は、側面に、電池パック収納部４を備えている。
【００３０】
電池パック収納部４は、電池パック５を収納可能である。電池パック収納部４は、電池パック５の挿入方向とモニタ２の表示面の面方向とが略平行となる姿勢で、本体１内に配置されている。
【００３１】
電池パック５は、矢印Ａに示す向きに電池パック収納部４に挿入可能である。また、電池パック収納部４に収納された電池パック５は、矢印Ｂに示す向きに引き出されることにより、電池パック収納部４から取り外し可能である。ここで、電池パック５は、電池単体、または複数の電池が収納されたケースを含む。
【００３２】
蓋体３は、電池パック収納部４における本体１の表面部分に配置されている。蓋体３は、本体１の側面に配されている。蓋体３を本体１の側面に備えるとともに、電池パック収納部４は電池パック５の挿入方向とモニタ２の表示面の面方向とが略平行となる姿勢で本体１内に配置することで、本体１の薄型化を達成できる。蓋体３は、電池パック収納部４の開口部を開閉可能である。
【００３３】
図３は、電池パック５の斜視図である。電池パック５は、テープ１１、電池側コネクタ１２を備えている。
【００３４】
テープ１１は、図１に示す矢印Ｂに示す向きに電池パック収納部４から電池パック５を引き出す際に、使用者が把持する部分である。すなわち、テープ１１は、電池パック５が電池パック収納部４に収納されている状態において、電池パック収納部４または本体１から突出する。テープ１１は、電池パック５が電池パック収納部４または本体１に収納されている状態における、テープ１１の電池パック収納部４または本体１からの突出量は、使用者により例えば指先で把持可能な突出量とすることが好ましい。また、テープ１１は、電池パック５が電池パック収納部４に収納されている時には、電池パック５の側面に沿って電池パック収納部４内で折り曲げ可能であることが好ましい。テープ１１は、折り曲げ可能な材料で形成されていることが好ましく、材質としては屈曲性と耐引っ張り性を有する例えば布やプラスティックが好適である。
【００３５】
電池側コネクタ１２は、電池パック５の端部に配されている。電池側コネクタ１２は、電極１２ｂを備えている。電極１２ｂは、電池パック収納部４に内蔵された端子電極と電気的に接続（以下、接続という）可能である。電極１２ｂは、電池側コネクタ１２に形成された複数の凹部と、凹部内に備わる電極パターンとを含む。凹部は、本体側コネクタ２２の端子電極を挿脱可能な大きさを有する。電池パック５は、電池側コネクタ１２における電極１２ｂと、本体側コネクタ２２の端子電極とが接続することにより、本体１に電力を供給することができる。
【００３６】
図４は、電池パック保持機構の概略図である。なお、図４において、電池パック５を保持する機構を説明するために、詳細な構成の図示を省略している。電池パック５は、前面１６が挿入方向（矢印Ａに示す方向）の前側となる姿勢で、電池パック収納部４に挿入される。電池パック５の側面１３ａには、案内溝１４ａが形成されている。側面１３ｂには、案内溝１４ｂが形成されている。以下、矢印Ａに示す向きを「電池パック５の挿入向き」と称する。また、電池パック収納部４の開口側に対して奥側を「矢印Ａの前方」と称する。
【００３７】
保持部材３１は、電池パック５を保持することができる。保持部材３１は、電池パック５の挿脱方向に対して平行に配置された第１保持部材３１ａおよび第２保持部材３１ｂを有する。
【００３８】
第１保持部材３１ａは、第１傾斜部３４ａ、第２傾斜部３７ａ、挟持部３５ａを有する。第１傾斜部３４ａは、矢印Ａに示す向きに対して、電池パック収納部４の外部から内部向きに傾斜した部分である。第２傾斜部３７ａは、第１傾斜部３４ａが形成された位置より矢印Ａの前方において、電池パック収納部４の内部から外部向きに傾斜した部分である。挟持部３５ａは、第１傾斜部３４ａと第２傾斜部３７ａとの間に形成され、電池パック５と当接可能な部分である。境界部３６ａは、挟持部３５ａと第１傾斜部３４ａとの接点である。
【００３９】
第２保持部材３１ｂは、第１傾斜部３４ｂ、第２傾斜部３７ｂ、挟持部３５ｂを有する。第１傾斜部３４ｂは、矢印Ａに示す向きに対して、電池パック収納部４の外部から内部向きに傾斜した部分である。第２傾斜部３７ｂは、第１傾斜部３４ｂが形成された位置より前方において、電池パック収納部４の内部から外部向きに傾斜した部分である。挟持部３５ｂは、第１傾斜部３４ｂと第２傾斜部３７ｂとの間に形成され、電池パック５と当接可能な部分である。境界部３６ｂは、挟持部３５ｂと第１傾斜部３４ｂとの接点である。
【００４０】
なお、第１傾斜部３４ａ、３４ｂおよび第２傾斜部３７ａ、３７ｂは、電池パック収納部４の内部から外部に跨って配置されていてもよいし、電池パック収納部４の内部に配置されていてもよい。
【００４１】
挟持部３５ａと挟持部３５ｂは、電池パック収納部４の収納側壁２５ａ及び２５ｂ（図５Ａ等参照）に対して面対称に形成されている。具体的には、挟持部３５ａと挟持部３５ｂは、電池パック５の側面１３ａ、１３ｂに平行な面に対して、面対称に配置されている。挟持部３５ａと挟持部３５ｂは、電池パック５に当接することにより、電池パック５を挟持する。
【００４２】
電池パック５を電池パック収納部４に挿入すると、まず、第１傾斜部３４ａ及び３４ｂと電池パック５の前面１６とが当接する。電池パック５をさらに挿入方向へ移動させると、第１保持部材３１ａ及び第２保持部材３１ｂは、前面１６によって電池パック収納部４の外側に押圧されて、変位する。電池パック５をさらに挿入方向へ移動させると、挟持部３５ａが案内溝１４ａに嵌まり込み、挟持部３５ｂが案内溝１４ｂに嵌り込む。
【００４３】
第１保持部材３１ａ、第２保持部材３１ｂは、電池パック収納部４の外側に変位することにより、電池パック収納部４の内側に向かって押圧する力が生じる。挟持部３５ａ、３５ｂには電池パック５を挟持する力が生じる。したがって、電池パック５は、挟持部３５ａが案内溝１４ａに嵌り込み、挟持部３５ｂが案内溝１４ｂに嵌まり込んだ状態で、安定して電池パック収納部４に保持される。
【００４４】
なお、挟持部３５ａ、３５ｂの形状は、本実施の形態では図４に示すように直線状（案内溝１４ａ及び１４ｂに線接触する形状）としたが、直線状に限定しない。挟持部３５ａ、３５ｂは、少なくとも電池パック５を挟持可能な形状であればよい。挟持部３５ａ、３５ｂは、例えば、電池パック収納部４の内側にＶ字状に突出する形状（案内溝１４ａ及び１４ｂに点接触する形状）であってもよい。また、少なくとも挟持部３５ａ、３５ｂにより電池パック５を保持することができれば、電池パック５の側面１３ａ、１３ｂには、案内溝１４ａ及び１４ｂが無くてもよい。
【００４５】
また、前述したように、本実施の形態では挟持部３５ａ及び３５ｂは、矢印Ａの方向に互いの間隙が狭まる形状とすることで、電池側コネクタ１２と本体側コネクタ２２（後述）とが確実に接続できる位置に、電池パック５をガイドすることができる。本実施の形態では、挟持部３５ａ及び３５ｂは、収納側壁に対して面対称の形状とすることで、矢印Ａに示す方向（電池パック５の挿入方向）に対して直交する面の面方向にセンタリング（図２における矢印Ｃ、Ｄに示す方向と、矢印Ｅ，Ｆに示す方向）することができる。これにより、電池パック収納部４に電池パック５を挿入及び引き出す際に、電池パック５に印加される挟持部３５ａ及び３５ｂの付勢力が電池パック５の回動方向（図２の矢印Ｂを中心軸とする回動方向）に作用することを抑制することができる。したがって、電池パック側コネクタ１２と本体側コネクタとの揺動に起因する摩耗や当接等を防止することができるため、好ましい。
【００４６】
〔３．電池パック保持機構の他の実施形態〕
図５Ａは、本体１内部における電池パック収納部４近傍の構成をより詳細に示した斜視図である。なお、図５Ａは、見易さを考慮して、矢印Ａに示す向きに電池パック５の一部が電池パック収納部４に挿入された状態を示す。また、図５Ａは、見易さを考慮して、一部の部品の図示を省略している。図５Ｂは、電池パック５が電池パック収納部４に収納された状態を示す斜視図である。図６、図７、図８は、それぞれ電池パック５が電池パック収納部４に収納される際の本体側コネクタ近傍の要部平面図である。
【００４７】
図５Ａにおいて、最深部２１は、電池パック５が電池パック収納部４に完全に収納された際に、電池パック５の前面１６が接触する電池パック収納部４の箇所である。載置台２７は、本体側コネクタ２２（図６参照）が載置される。本体側コネクタ２２（図６参照）は、支持部２３ａ、２３ｂを備えている。支持部２３ａ、２３ｂは、載置台２７に形成されている。支持部２３ａ、２３ｂは、ネジ孔２４ａ、２４ｂが形成されている。本体側コネクタ２２（図６参照）は、ネジ孔２４ａにねじ２８ａ（図６参照）を螺結し、ネジ孔２４ｂにねじ２８ｂ（図６参照）を螺結することにより、載置台２７に支持されている。
【００４８】
収納部側壁２５ａ、２５ｂは、電池パック収納部４内において、電池パック５を案内する。端部支持部２６ａは、収納部側壁２５ａに形成されている。端部支持部２６ｂは、収納部側壁２５ｂに形成されている。端部支持部２６ａ及び２６ｂは、保持部材３１の一対の曲げ部３８ａ、３８ｂが係止可能である。端部支持部２６ａ、２６ｂは、本実施の形態では板状である。
【００４９】
第１保持部材３１ａ及び第２保持部材３１ｂ（以下、両者を保持部材３１と称す）は、金属の線状部材で形成されている。第１保持部材３１ａは、背面２７ａ及び側壁２５ａの外側から、電池パック収納部４の内側に向かって配されている。第２保持部材３１ｂは、背面２７ａ及び側壁２５ｂの外側から、電池パック収納部４の内側に向かって配されている。背面２７ａは、載置台２７における最深部２１の反対面である。
【００５０】
第１保持部材３１ａは、端部３２ａと、巻線部３３ａと、第２傾斜部３７ａと、挟持部３５ａと、第１傾斜部３４ａと、曲げ部３８ａとを有する。巻線部３３ａは、線状部材が円周状または螺旋状に巻かれて形成されている。巻線部３３ａは、支持部２３ａに嵌め込まれている。巻線部３３ａが支持部２３ａに嵌め込まれることにより、第１保持部材３１ａが本体１の内部に支持されている。巻線部３３ａから延出した２つの端部は、互いに略直交する方向へ延出している。２つの端部のうち一方の端部３２ａは、背面２７ａに当接、または背面２７ａの近傍に位置している。線状部材の他方の端部は、巻線部３３ａ側から順に、第２傾斜部３７ａ、挟持部３５ａ、第１傾斜部３４ａおよび曲げ部３８ａが形成されている。
【００５１】
端部３２ａは、第１保持部材３１ａが支持部２３ａに支持された際に、載置台２７の背面２７ａに係止可能である。巻線部３３ａは、端部３２ａが背面２７ａに係止された状態で、挟持部３５ａを矢印Ｃに示す向きに付勢している。
【００５２】
第１傾斜部３４ａ、挟持部３５ａ、および第２傾斜部３７ａの基本的構成は、図４に示した構成と同様である。ただし、図４等に示す実施形態においては、挟持部３５ａは、直線状でなく、Ｖ字状である。つまり、第１傾斜部３４ａと、挟持部３５ａと第２傾斜部３７ａとでＶ字形状を構成している。この形状において、境界部３６ａの位置は、挟持部３５ａの位置とほぼ一致する。挟持部３５ａは、本体側コネクタ２２の近傍に配置されている。
【００５３】
曲げ部３８ａは、第１傾斜部３４ａから延在して、端部支持部２６ａに係止可能なように曲げられて形成されている。第１保持部材３１ａは、端部支持部２６ａに曲げ部３８ａが係止されると共に、背面２７ａに端部３２ａが係止されることにより、巻線部３３ａにより付勢される向き（矢印Ｃに示す向き）に変位することが阻止される。第１保持部材３１ａは、自身の付勢力により、曲げ部３８ａが端部支持部２６ａに当接しているため、その反対向き（矢印Ｄに示す向き）に変位可能である。このため、挟持部３５ａは、矢印Ｄに示す向きに変位可能である。
【００５４】
第２保持部材３１ｂは、端部３２ｂと、巻線部３３ｂと、第２傾斜部３７ｂと、挟持部３５ｂと、第１傾斜部３４ｂと、曲げ部３８ｂとを有する。巻線部３３ｂは、線状部材が円周状または螺旋状に巻かれて形成されている。巻線部３３ｂは、支持部２３ｂに嵌め込まれている。巻線部３３ｂが支持部２３ｂに嵌め込まれることにより、第２保持部材３１ｂが本体１の内部に支持されている。巻線部３３ｂから延出した２つの端部は、互いに略直交する方向へ延出している。２つの端部のうち一方の端部３２ｂは、背面２７ａに当接、または背面２７ａの近傍に位置している。線状部材の他方の端部は、巻線部３３ｂ側から順に、第２傾斜部３７ｂ、挟持部３５ｂ、第１傾斜部３４ｂおよび曲げ部３８ｂが形成されている。
【００５５】
端部３２ｂは、第１保持部材３１ｂが支持部２３ｂに支持された際に、載置台２７の背面２７ａに係止可能である。巻線部３３ｂは、端部３２ｂが背面２７ａに係止された状態で、挟持部３５ｂを矢印Ｅに示す向きに付勢している。
【００５６】
第１傾斜部３４ｂ、挟持部３５ｂ、および第２傾斜部３７ｂの基本的構成は、図４に示した構成と同様である。ただし、図４等に示す実施形態においては、挟持部３５ｂは、直線状でなく、Ｖ字状である。つまり、第１傾斜部３４ｂと、挟持部３５ｂと第２傾斜部３７ｂとでＶ字形状を構成している。この形状において、境界部３６ｂの位置は、挟持部３５ｂの位置とほぼ一致する。なお、見易さを考慮して、図５Ａ〜図９は、挟持部３５ａ、３５ｂと境界部３６ａ、３６ｂの位置をずらして描画している。挟持部３５ｂは、本体側コネクタ２２の近傍に配置されている。
【００５７】
曲げ部３８ｂは、第１傾斜部３４ｂから延在して、端部支持部２６ｂに係止可能なように曲げられて形成されている。第２保持部材３１ｂは、端部支持部２６ｂに曲げ部３８ｂが係止されると共に、背面２７ａに端部３２ｂが係止されることにより、巻線部３３ｂにより付勢される向き（矢印Ｅに示す向き）に変位することが阻止される。第２保持部材３１ｂは、自身の付勢力により、曲げ部３８ｂが端部支持部２６ｂと当接しているため、その反対向き（矢印Ｆに示す向き）に変位可能である。このため、挟持部３５ｂは、矢印Ｆに示す向きに変位可能である。
【００５８】
図５Ａに示すように、電池パック５の側面１３ａ、１３ｂには、凹部１５ａ、１５ｂが形成されている。凹部１５ａは、電池パック５が電池パック収納部４に完全に収納された際に、挟持部３５ａが嵌合可能である。凹部１５ｂは、電池パック５が電池パック収納部４に完全に収納された際に、挟持部３５ｂが嵌合可能である。
【００５９】
図５Ｂは、電池パック５が電池パック収納部４内に完全に収納された状態を示す斜視図である。図５Ｂに示す状態では、挟持部３５ａは、電池パック５の凹部１５ａに嵌合している。挟持部３５ｂは、電池パック５の凹部１５ｂに嵌合している。挟持部３５ａ、３５ｂが凹部１５ａ、１５ｂに嵌合することにより、電池パック５が電池パック収納部４に保持される。
【００６０】
この構成により、電池パック５を収納した状態において本体１が振動したとしても、挟持部３５ａ、３５ｂにより電池パック５が挟持されているため、電池パック収納部４に収納された電池パック５における電池側コネクタ１２近傍の振動を抑制することができる。この結果、本体側コネクタ２２の端子電極２２ｂと電池側コネクタ１２の電極１２ｂとの摺動を少なくすることができ、端子電極２２ｂおよび／または電極１２ｂの磨耗を低減することができ、接触不良を撲滅することができる。
【００６１】
次に、電池パック５を電池パック収納部４に収納する過程について詳細に説明する。
【００６２】
図６は、電池パック５の前面１６が電池パック収納部４に一部挿入されて、電池パック５と第１傾斜部３４ａ、３４ｂとが当接した状態を示す平面図である。
【００６３】
図６において、直線４１は、電池パック収納部４の幅方向（電極１２ｂの配列方向）の中心を示す線である。電池パック５を電池パック収納部４に収納する際、電池パック５の前面１６の幅方向の両端部が第１傾斜部３４ａ、３４ｂにそれぞれ当接することで、電池パック５は、中心線と直線４１とが重なる位置に変位される。これにより、電池側コネクタ１２と本体側コネクタ２２との接続する向きが揃う。したがって、電池パック５を電池パック収納部４に収納する際に、電極１２ｂと端子電極２２ｂとの摺動による摩擦力が生じなく、この摩擦力に起因する摩耗を抑制することが出来る。
【００６４】
図６に示すように、電池パック収納部４の幅寸法Ｗ２は、電池パック５の幅寸法Ｗ１より大きく形成されている。この結果、電池パック収納部４に電池パック５を挿入しやすくなるが、電池パック５が正規の位置（中心線と直線４１とが重なる位置）から変位してしまう可能性がある。仮に、挟持部３５ａ、３５ｂを備えていない場合には、電池パック５は、電池パック収納部４に挿入される際に、例えば電池パック収納部４に対する摺動面４ａに沿って平行にずれが生じ、中心線が破線４２に示す位置へ変位することがある。また、電池パック５は、例えば摺動面４ａに沿って回転してずれが生じ、中心線が一点鎖線４３に示すように傾いた姿勢で電池パック収納部４に挿入される場合がある。なお、図６に示す破線４２および一点鎖線４３は、図面の見易さを考慮して、直線４１に対する変位量を実際の変位量よりも大きく図示している。
【００６５】
電池パック５が、図６に示すように摺動面４ａに沿って平行に矢印Ｃに示す方向にずれて、電池パック５の中心線が破線４２と重なる位置に変位した場合には、本体側コネクタ２２に対して電池側コネクタ１２の位置が矢印Ｃに示す方向にずれる。本体側コネクタ２２に対して電池側コネクタ１２の位置がずれた状態で電池パック５が電池パック収納部４に収納され、電極１２ｂの凹部に端子電極２２ｂが挿入されると、電池側コネクタ１２の電極１２ｂおよび本体側コネクタ２２の端子電極２２ｂの矢印Ｃに示す側において摺動による摩擦力が大きくなる。したがって、電極１２ｂおよび端子電極２２ｂの磨耗が多くなり、電池側コネクタ１２と本体側コネクタ２２との間に接触不良が生じやすくなる。さらに、電池パック５を電池パック収納部４に収納する際、端子電極２２ｂと電極１２ｂの凹部との位置が完全にずれている場合には、端子電極２２ｂのうち本体側コネクタ２２から最も端部が突出する端子電極２２ｃが電池側コネクタ１２に衝突して、端子電極２２ｃまたはそれを含む本体側コネクタ２２が破損することがある。したがって、電池パック５と電池パック収納部４とが電気的な接続をし得なくなる。
【００６６】
また、電池パック５が傾いた姿勢（電池パック５の中心線が一点鎖線４３と重なる姿勢）で電池パック収納部４に収納されると、電極１２ｂは、矢印Ｄに示す側の側面および矢印Ｃに示す側の開口部において、摺動による摩擦力が大きくなる。また、端子電極２２ｂは、先端および矢印Ｃに示す側の側面において、摺動による摩擦力が大きくなる。したがって、電極１２ｂおよび端子電極２２ｂの磨耗が多くなり、電池側コネクタ１２と本体側コネクタ２２との間に接触不良が生じやすくなる。さらに、電池パック５を電池パック収納部４に収納する際、端子電極２２ｂが電池パック５の前面１６に当接し、端子電極２２ｂが曲がってしまうことがある。端子電極２２ｂは、曲がってしまうと電極１２ｂの凹部に挿入できなくなり、電池パック５と電池パック収納部４とが電気的な接続をし得なくなる。
【００６７】
本実施の形態においては、図６に示す状態から電池パック５を矢印Ａに示す向きに移動させると、電池パック５における前面１６の両端部が第１傾斜部３４ａ及び３４ｂを押圧する。これにより、第１傾斜部３４ａは、矢印Ｄに示す向きの力を受け、挟持部３５ａが矢印Ｄに示す向きに変位する。同様に、第１傾斜部３４ｂは、矢印Ｆに示す向きの力を受け、挟持部３５ｂが矢印Ｆに示す向きに変位する。すなわち、電池パック５が電池パック収納部４における摺動面４ａの幅方向（図５Ｂの矢印ＣまたはＤに示す方向）に中央からずれて挿入された場合に、２つの挟持部３５ａ、３５ｂから電池パック５に掛かる力に差が生じ、電池パック５を電池パック収納部４の幅方向中央に移動させる向きに力が掛かる。したがって、電池側コネクタ１２の電極１２ｂは、電池パック５が電池パック収納部４と電気的接続される際には、本体側コネクタ２２の端子電極２２ｂに対する相対位置が正しい位置に位置決めされる。
【００６８】
例えば、電池パック５が、その中心線が破線４２（図６参照）と重なる位置にずれた姿勢で電池パック収納部４に挿入された場合には、電池パック５が第１傾斜部３４ｂを押圧する力が第１傾斜部３４ａを押圧する力より大きくなる。このため、第１傾斜部３４ｂから電池パック５に付勢される矢印Ｅに示す向きの力が、第１傾斜部３４ａから電池パック５に付勢される矢印Ｃに示す向きの力よりも大きくなる。したがって、電池パック５には、矢印Ｄに示す向きに力が掛かり、矢印Ｄに示す向きに変位する。電池パック５は、その中心線が直線４１と重なる位置に変位することにより、正規の位置へ位置調整される。
【００６９】
また、電池パック５が、その中心線が一点鎖線４３（図６参照）と重なる位置に傾いた姿勢で電池パック収納部４に挿入された場合には、電池パック５が第１傾斜部３４ａを押圧する力が第１傾斜部３４ｂを押圧する力より大きくなる。このため、第１傾斜部３４ａから電池パック５に付勢される矢印Ｃに示す向きの力が、第１傾斜部３４ｂから電池パック５に付勢される矢印Ｅに示す向きの力よりも大きくなる。したがって、電池パック５には、前面１６側が矢印Ｃに示す方向に変位し、前面１６の反対側が矢印Ｄに示す方向に変位する力が掛かり、電池パック５が回転する。電池パック５は、その中心線が直線４１と重なる位置に変位することにより、電池パック５の傾きが調整され、正規の位置へ位置調整される。
【００７０】
したがって、電池側コネクタ１２の電極１２ｂと本体側コネクタ２２の端子電極２２ｂに摺動による摩擦力を低減することができ、磨耗を低減することができる。このため、電池側コネクタ１２と本体側コネクタ２２との接触不良を抑制することができる。
【００７１】
図７は、電池パック５が図６に示す位置からさらに電池パック収納部４の中へ挿入された状態を示す平面図である。電池パック５が図６に示す位置からさらに電池パック収納部４の中に挿入されると、挟持部３５ａ及び３５ｂは、電池パック５に押圧されて、図６に示す状態において挟持部３５ａ及び３５ｂにかかっていた力よりさらに大きな力が掛かる。挟持部３５ａは、矢印Ｄに示す向きに変位して、電池パック５の側面１３ａに当接する。挟持部３５ｂは、矢印Ｅに示す向きに変位して、電池パック５の側面１３ｂに当接する。この状態では、電池パック５は挟持部３５ａ、３５ｂで挟持されているため、電池パック５は電池パック収納部４の摺動面４ａに対し平行方向にずれにくい。また挟持部３５ａ、３５ｂと本体側コネクタ２２における最深部２１側との離隔距離が短いため、電池パック５の回転方向のずれ量は、事実上無視し得る。
【００７２】
なお、挟持部３５ａ、３５ｂにより電池パック５が電池パック収納部４の中央への位置調整および傾き調整が完了した状態において、図７に示すように電池側コネクタ１２の電極１２ｂと本体側コネクタ２２の端子電極２２ｂとが接触していないことが好ましい。すなわち、図６に示すように、境界部３６ａ、３６ｂと載置台２７の最深部２１側との距離をＬ１、端子電極２２ｂの端部の内最も突出している端子電極２２ｃの端部と載置台２７の最深部２１側との距離をＬ２とすると、
Ｌ１＞Ｌ２
であることが好ましい。つまり、境界部３６ａ、３６ｂが端子電極２２ｂの何れの端部より、電池パック収納部４の開口側に配置されていることが好ましい。
【００７３】
電池パック５の位置調整および傾き調整が完了する前に、電池側コネクタ１２の電極１２ｂと本体側コネクタ２２の端子電極２２ｂとが接触すると、電極１２ｂと端子電極２２ｂとの摩擦が多くなり、摩耗する可能性が高くなる。このため、電池パック５の位置調整および傾き調整が完了した後に、電池側コネクタ１２と本体側コネクタ２２とが結合する場合よりも、電極１２ｂと端子電極２２ｂとの接触不良が生じやすくなる。
【００７４】
図８は、電池パック５が電池パック収納部４に完全に挿入された状態を示す平面図である。電池パック５は、図７に示す位置からさらに電池パック収納部４の中に挿入され、所定位置まで挿入されると前面１６が最深部２１と接する。前面１６が最深部２１に接したとき、あるいは前面１６が最深部２１の近傍に位置しているときに、挟持部３５ａが凹部１５ａに嵌合し、挟持部３５ｂが凹部１５ｂに嵌合する。挟持部３５ａが凹部１５ａに嵌合し、挟持部３５ｂが凹部１５ｂに嵌合することにより、電池パック５が電池パック収納部４内に保持される。
【００７５】
電池パック５が完全に電池パック収納部４に収納された状態において、本体１に衝撃が加わった場合あるいは本体１が振動した場合、電池パック５も電池パック収納部４内で、振動する。しかし、挟持部３５ａ、３５ｂが電池パック５の本体側コネクタ２２の近傍を挟持しているため、電池パック５は、電池側コネクタ１２付近における振動量が少ない。このため、電池側コネクタ１２の電極１２ｂと、本体側コネクタ２２の端子電極２２ｂとの微摺動磨耗を低減することができ、接触不良を生じ難くすることができる。
【００７６】
また、挟持部３５ａ、３５ｂが電池パック５を挟持するため、図１に示す蓋体３が不意に開いたとしても、電池パック５が落下しにくい。このため、落下による電池パック５の破損を防ぐことができる。また、電池パック５を落下しにくくしたことにより、本体１が動作中に電力の供給が遮断され、本体１内のメモリに一次記憶されたデータが消去されることを防ぐことができる。
【００７７】
次に、挟持部３５ａ、３５ｂによる電池パック５の保持が解除される動作について説明する。電池パック５を電池パック収納部４から取り出すために、例えば引出しテープ１１（図５Ｂ参照）を図８の矢印Ｂに示す向きに引くと、電池パック５の凹部１５ａと第２傾斜部３７ａとが接触して、第２傾斜部３７ａに矢印Ｄに示す向きに力が加わる。第２傾斜部３７ａに掛かる力が挟持部３５ａに掛かる付勢力よりも大きければ、挟持部３５ａが矢印Ｄに示す向きに移動し、挟持部３５ａと凹部１５ａとの嵌合が解ける。
【００７８】
同様に、図８の矢印Ｂに示す向きに電池パック５を引くと、電池パック５の凹部１５ｂと第２傾斜部３７ｂとが接触して、第２傾斜部３７ｂに矢印Ｆに示す向きに力が加わる。第２傾斜部３７ｂに掛かる力が挟持部３５ｂに掛かる付勢力よりも大きければ、挟持部３５ｂが矢印Ｆに示す向きに移動し、挟持部３５ｂと凹部１５ｂとの嵌合状態が解除される。
【００７９】
挟持部３５ａ、３５ｂと凹部１５ａ、１５ｂとの嵌合状態が解除された場合でも、本体側コネクタ２２の端子電極２２ｂが電池側コネクタ１２の電極１２ｂと接触している状態では、挟持部３５ａ、３５ｂが電池パック５の側面１３ａ、１３ｂを挟持している。このため、電池パック５の摺動面４ａに対する平行方向の位置ずれ、および挿脱方向に対する傾きのずれによる電極１２ｂと端子電極２２ｂとの微摺動磨耗及び／または破損を低減することができ、接触不良を抑制することができる。
【００８０】
〔４．実施の形態の効果、他〕
本実施の形態に係る情報処理装置は、挟持部３５ａ、３５ｂにより、電池パック５を電池パック収納部４に挿入する際に、電池パック収納部４に対して、電池パック５の位置ずれおよび挿脱方向との傾きのずれを調整することができる。また、挟持部３５ａ、３５ｂが電池パック５の電池側コネクタ１２の近傍を挟持するため、電池パック５が電池パック収納部４に収納された状態において、本体１が振動して、電池パック５が振動しても、電池側コネクタ１２付近における振動量を低減することができる。このため、電池側コネクタ１２の電極１２ｂと本体側コネクタ２２の端子電極２２ｂとの磨耗が減少し、電池側コネクタ１２と本体側コネクタ２２との間の接触不良を低減することができる。
【００８１】
図９は、本実施の形態に係る本体１内部における電池パック収納部近傍の別の構成を示す斜視図である。本実施の形態に係る本体１に供される電池パック収納部は、先の実施の形態に係る情報処理装置に供した電池パック収納部に対して、保持部材３１における第１保持部材３１ａと第２保持部材３１ｂが一体に形成されている点が異なり、その他の構成は、先の実施の形態に係る情報処理装置と同様である。本実施の形態に係る情報処理装置において、先の実施の形態に係る情報処理装置と同様の構成要素については、同一の符号を付して説明を省略する。
【００８２】
保持部材３１は、第１保持部材３１ａと第２保持部材３１ｂとが連結部３９により接合され、一体形成されている。保持部材３１が一体形成されることにより、先の実施の形態に係る情報処理装置では２点あった部品を、１点に減らすことができる。したがって、装置の製造手数が減り、コストを抑えることができる。
【００８３】
さらに、第１保持部材３１ａと第２保持部材３１ｂとが単一の部材で形成されるので、挟持部３５ａ、３５ｂに掛かるそれぞれの付勢力を均等にすることができる。このため、電池パック５の位置調整および挿脱方向からの傾き調整を精度よく行うことができ、電池側コネクタ１２の電極１２ｂと本体側コネクタ２２の端子電極２２ｂとの微摺動磨耗をより低減することができる。
【００８４】
上述の実施の形態に係る情報処理装置において、電池パック５を電池パック収納部４に完全に収納した場合に、本体１を振動させて、電池側コネクタ１２の電極１２ｂと本体側コネクタ２２の端子電極２２ｂとの微摺動磨耗の影響について調べた。挟持部３５ａ、３５ｂの位置を電池パック５の前面１６が当接する最深部２１から５ｍｍ離れた位置となるように保持部材３１を形成した場合には、微摺動磨耗の影響はほとんどなかった。また、挟持部３５ａ、３５ｂの位置を最深部２１から１５ｍｍ離れた位置となるように保持部材３１を形成した場合にも、微摺動磨耗の影響は少なかった。
【００８５】
上述したように、電池パック５が電池パック収納部４の中央への位置調整および傾き調整が完了した状態で、電池側コネクタ１２の電極１２ｂと本体側コネクタ２２の端子電極２２ｂにおける端部とが接触することを考慮すると、Ｌ１＞Ｌ２の条件を満たすことで、電池側コネクタ１２と本体側コネクタ２２との電気的接続に際しての摩耗及び／または破損を抑制することが出来る。ただし、上記条件の下でＬ１とＬ２との関係は出来るだけＬ１＝Ｌ２に近いことが望ましい。
【００８６】
なお、上述の実施の形態では、保持部材３１が線状の金属である場合を例に説明した。しかし、本発明はこのような例に限定されず、保持部材３１は可撓性樹脂などの復元弾性を有する材料であってもよい。また、保持部材３１は板状であってもよい。保持部材３１が板状である場合、巻線部３３ａ、３３ｂを形成せず、電池パック収納部４の外部に保持部材３１を固定し、連結部３９の長手方向から向きを変えるガイド部材を形成する構成にすることもできる。
【００８７】
また、上述の実施の形態では、電池パック５に凹部１５ａ、１５ｂを形成した構成にしたが、凹部１５ａ、１５ｂは必ずしも必要ではない。凹部１５ａ、１５ｂが形成されていない電池パック５において、挟持部３５ａ、３５ｂは、電池パック５の側面１３ａ、１３ｂを挟持するため、電池パック５を挿脱方向に固定することができる。ただし、凹部１５ａ、１５ｂが形成されていると、より強固に電池パック５を固定できると共に、電池パック５が電池パック収納部４に収納された状態で保持部材３１の付勢力を弱めることが出来るため保持部材３１の経時変化が軽減することができるので好ましい。
【００８８】
また、電池パック５の側面１３ａ、１３ｂにそれぞれ凹部１５ａ、１５ｂへ挟持部３５ａ、３５ｂを導く溝部を設ける構成にすることもできる。この構成により、挟持部３５ａ、３５ｂが溝部に嵌合して、電池パック５が挿入されるので、確実に挟持部３５ａ、３５ｂを凹部１５ａ、１５ｂへ導くことができる。
【００８９】
また、本実施の形態では、挟持部３５ａ、３５ｂは、電池パック収納部４の幅方向に相対する面に設ける構成を示したが、電池パック収納部４の高さ方向に相対する面に形成された構成にすることもできる。
【００９０】
また、電池パック５を電池パック収納部４から取り出すために引出しテープ１１を電池パック５に配置した例を示したが、電池パック５を取り出すことができればどのような構成でもよい。例えば、電池パック５の背面（前面１６の裏面）に引出し用の突起を設けてもよいし、電池パック５の上面（電池側コネクタ１２が配置されている面）に凹部を設け、ユーザが指を引っ掛けて電池パック５を引出すことができるようにしてもよい。
【００９１】
また、実施の形態において、タブレット型の情報処理装置を例に説明したが、パーソナルコンピュータやデジタルカメラなど電池交換可能な情報処理装置に本願発明の電池パック保持機構を用いても同様の効果を得ることができる。
【００９２】
本実施の形態における電池パック５は、本発明の電池パックの一例である。本実施の形態における電池側コネクタ１２は、本発明のコネクタの一例である。本実施の形態における本体側コネクタ２２は、本発明の端子電極の一例である。本実施の形態における電池パック収納部４は、本発明の電池パック収納部の一例である。本実施の形態における保持部材３１、保持部材４０、第１の保持部材３１ａ、および第２の保持部材３１ｂは、本発明の保持部材の一例である。本実施の形態における挟持部３５ａ，３５ｂは、本発明の挟持部の一例である。本実施の形態における第１傾斜部３４ａ、３４ｂは、本発明の第１傾斜部の一例である。本実施の形態における第２傾斜部３７ａ、３７ｂは、本発明の第２傾斜部の一例である。本実施の形態における境界部３６ａ、３６ｂは、本発明の境界部の一例である。本実施の形態における連結部３９は、本発明の連結部の一例である。本実施の形態における凹部１４ａ、１４ｂは、本発明の嵌合凹部の一例である。本実施の形態における案内溝１５ａ、１５ｂは、本発明の案内溝の一例である。
【００９３】
本実施の形態に関して、以下の付記を開示する。
【００９４】
（付記１）
端部にコネクタを備える電池パックを保持可能な電池パック保持機構であって、
前記コネクタの電極と電気的に接続される端子電極が配置され、一対の側壁に沿って挿入することで前記電池パックを収納可能な電池パック収納部と、
前記電池パック収納部に収納された前記電池パックを保持可能な保持部材とを備え、
前記保持部材は、前記端子電極の近傍における前記一対の側壁の内部に配置され、前記電池パックを挿脱する挿脱方向に対し直交し、前記電池パックの外周を構成する相対向する面に向かってそれぞれ突出する一対の挟持部を有する、電池パック保持機構。
【００９５】
（付記２）
前記保持部材は、
前記電池パック収納部に対する前記電池パックの挿入向きに対して、前記電池パック収納部の外部から内部向きに傾斜した第１傾斜部と、
前記電池パックの挿入向きに前記第１傾斜部が形成された位置より前方に、前記電池パック収納部の内部から外部向きに傾斜した第２傾斜部とを有し、
前記挟持部は、前記第１傾斜部と、前記第２傾斜部との間に形成され、
前記第１傾斜部と前記挟持部との境界部が、前記端子電極における前記電池パック収納部の内部方向に突出した端部よりも、前記電池パックを前記電池パック収納部に収納する収納口側に配置される、付記１記載の電池パック保持機構。
【００９６】
（付記３）
前記保持部材は、前記一対の挟持部を連結する連結部を有する、付記１または２に記載の電池パック保持機構。
【００９７】
（付記４）
電池パックから供給された電力で能動状態となる電子部品と、
前記電子部品を実装する回路基板と、
前記電池パックを保持可能な電池パック保持機構とを備え、
前記電池パック保持機構は、
コネクタの電極と電気的に接続される端子電極が配置され、一対の側壁に沿って挿入することで前記電池パックを収納可能な電池パック収納部と、
前記電池パック収納部に収納された前記電池パックを保持可能な保持部材とを備え、
前記保持部材は、前記端子電極の近傍における前記一対の側壁の内部に配置され、前記電池パックを挿脱する挿脱方向に対し直交し、前記電池パックの外周を構成する相対向する面に向かってそれぞれ突出する一対の挟持部を有する、電子装置。
【００９８】
（付記５）
前記保持部材は、
前記電池パック収納部に対する前記電池パックの挿入向きに対して、前記電池パック収納部の外部から内部向きに傾斜した第１傾斜部と、
前記電池パックの挿入向きに前記第１傾斜部が形成された位置より前方に、前記電池パック収納部の内部から外部向きに傾斜した第２傾斜部とを有し、
前記挟持部は、前記第１傾斜部と、前記第２傾斜部との間に形成され、
前記第１傾斜部と前記挟持部との境界部が、前記端子電極における前記電池パック収納部の内部方向に突出した端部よりも、前記電池パックを前記電池パック収納部に収納する収納口側に配置される、付記４記載の電子装置。
【００９９】
（付記６）
前記保持部材は、前記一対の挟持部を連結する連結部を有する、付記４または５に記載の電子装置。
【０１００】
（付記７）
前記電池パックは、前記挟持部が嵌合可能な嵌合凹部を備えた、付記４に記載の電子装置。
【０１０１】
（付記８）
前記電池パックは、前記挟持部を前記嵌合凹部へ案内可能な案内溝を備えた、付記７に記載の電子装置。
【産業上の利用可能性】
【０１０２】
本発明は、電池パックを電池パック収納部に収納した状態での、電池側コネクタと本体側コネクタとの微摺動磨耗を低減することにより、接触不良を低減することができるという効果を有し、電子装置に利用可能である。
【符号の説明】
【０１０３】
１  情報処理装置本体
２  モニタ
３  蓋体
４  電池パック収納部
５  電池パック
１１  引出しテープ
１２  電池側コネクタ
１２ｂ  電極
１３ａ、１３ｂ  側面
１４  案内溝
１５ａ、１５ｂ  凹部
１６  前面
２１  最深部
２２  本体側コネクタ
２２ｂ、２２ｃ  端子電極
２３ａ、２３ｂ  支持部
２４ａ、２４ｂ  穴部
２５ａ、２５ｂ  収納部側壁
２６ａ、２６ｂ  端部支持部
２７  載置台
２７ａ  背面
２８ａ、２８ｂ  ねじ
３１  保持部材
３１ａ  第１保持部材
３１ｂ  第２保持部材
３２ａ、３２ｂ  端部
３３ａ、３３ｂ  巻線部
３４ａ、３４ｂ  第１傾斜部
３５ａ、３５ｂ  挟持部
３６ａ、３６ｂ  境界部
３７ａ、３７ｂ  第２傾斜部
３８ａ、３８ｂ  曲げ部
３９  連結部
【図１】
2010103103.tif 000003
【図２】
2010103103.tif 000004
【図３】
2010103103.tif 000005
【図４】
2010103103.tif 000006
【図５Ａ】
2010103103.tif 000007
【図５Ｂ】
2010103103.tif 000008
【図６】
2010103103.tif 000009
【図７】
2010103103.tif 000010
【図８】
2010103103.tif 000011
【図９】
2010103103.tif 000012
【図１０】
2010103103.tif 000013